(57)【要約】      （修正有）【課題】農業ハウスにおける光吸収による温度上昇を抑制しつつその農業ハウスの耐久性を向上させ得る農業ハウス用フレーム材を提供する。【解決手段】荷重を支えるための本体部５０と、本体部５０の表面に設けられ、二酸化チタンを含み、かつ、白色である反射層５２と、反射層５２の表面に設けられ、かつ、透明である透明層５４とを有している農業ハウス用フレーム材。【選択図】図２
2020078263.tif 000002
【特許請求の範囲】
【請求項１】
複数のフレーム材から構成される構造体と前記構造体を覆う合成樹脂製の被覆材とを備える農業ハウスの前記複数のフレーム材のいずれかである農業ハウス用フレーム材であって、
前記農業ハウス用フレーム材が、
荷重を支えるための本体部と、
前記本体部の表面に設けられ、二酸化チタンを含み、かつ、白色である反射層と、
前記反射層の表面に設けられ、かつ、透明である透明層とを有していることを特徴とする農業ハウス用フレーム材。
【発明の詳細な説明】
【技術分野】
【０００１】
本発明は、農業ハウス用フレーム材に関する。
【背景技術】
【０００２】
特許文献１は農業ハウスを開示する。この農業ハウスは、複数のフレーム材から構成される構造体と、その構造体を覆う被覆材とを備える。そのフレーム材の少なくとも一つが、基材と、反射シートとを有する。この反射シートは、基材を覆う。この反射シートは、可視光反射性および近赤外線反射性を有する。
【０００３】
特許文献１に開示されている農業ハウスは、光吸収による温度上昇を抑制できる。
【先行技術文献】
【特許文献】
【０００４】
【特許文献１】特開２０１８−１９６５６号公報
【発明の概要】
【発明が解決しようとする課題】
【０００５】
しかしながら、特許文献１に開示された農業ハウスのなかには耐久性の改善が必要なものがある。本発明は、このような問題を解消するものである。その目的は、農業ハウスにおける光吸収による温度上昇を抑制しつつその農業ハウスの耐久性を向上させ得る農業ハウス用フレーム材を提供することにある。
【課題を解決するための手段】
【０００６】
図面を参照して本発明の農業ハウス用フレーム材を説明する。なお、この欄で図中の符号を使用したのは、発明の内容の理解を助けるためであって、内容を図示した範囲に限定する意図ではない。
【０００７】
上記課題を解決するために、本発明のある局面に従うと、農業ハウス用フレーム材３６は、農業ハウスの複数のフレーム材３０，３２，３４，３６のいずれかである。その農業ハウスは、構造体１０と合成樹脂製の被覆材１２とを備える。構造体１０はその複数のフレーム材３０，３２，３４，３６から構成される。被覆材１２は、その構造体１０を覆う。農業ハウス用フレーム材３６が、本体部５０と、反射層５２と、透明層５４とを有している。本体部５０は、荷重を支えるためのものである。反射層５２は、本体部５０の表面に設けられる。反射層５２は、二酸化チタンを含む。反射層５２は、白色である。透明層５４は、反射層５２の表面に設けられる。透明層５４は、透明である。
【０００８】
反射層５２が二酸化チタンを含む。反射層５２が白色である。これにより、農業ハウス用フレーム材３６は、可視光反射性および近赤外線反射性を有することとなる。反射層５２は、透明層５４を介して合成樹脂製の被覆材１２と接することとなる。これにより、反射層５２が合成樹脂製の被覆材１２と直接接触する場合に比べ、反射層５２が含む二酸化チタンによって被覆材１２の材料である合成樹脂が劣化する可能性が低くなる。合成樹脂が劣化する可能性が低くなるので、被覆材１２の耐久性が向上する。その結果、二酸化チタンを含む反射層５２を有する農業ハウス用フレーム材３６と合成樹脂製の被覆材１２とを備える農業ハウスにおいて、その農業ハウスにおける光吸収による温度上昇を抑制しつつその農業ハウスの耐久性を向上させ得る。
【発明の効果】
【０００９】
本発明にかかる農業ハウス用フレーム材によれば、農業ハウスにおける光吸収による温度上昇を抑制しつつその農業ハウスの耐久性を向上させ得る。
【図面の簡単な説明】
【００１０】
【図１】本発明の一実施形態にかかる農業ハウスの外観図である。
【図２】本発明の一実施形態にかかる長手フレーム材の断面図である。
【発明を実施するための形態】
【００１１】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１２】
［構成の説明］
以下、本発明の一実施形態について説明する。図１は、本実施形態にかかる農業ハウスの外観図である。図１に基づいて、本実施形態にかかる農業ハウスの構成が説明される。
【００１３】
本実施形態において、農業ハウスとは、建物のうち次に述べられる２つの要件を満たすものを意味する。第１の要件は、構造体１０と合成樹脂製の被覆材１２とを備えるという要件である。第２の要件は、作物栽培に用いられ得るという要件である。
【００１４】
第１の要件にいう構造体１０とは、複数のフレーム材が互いに接続されることで形成された空間を形成する物体を意味する。構造体１０の形態は特に限定されない。被覆材１２は、構造体１０を覆う。被覆材１２は、構造体１０の少なくとも一部を覆うものであればよい。被覆材１２は、構造体１０が地面に固定されたときにその上部を覆うものであれば望ましい。被覆材１２は、地面に固定された構造体１０をすべて覆うものであればより望ましい。被覆材１２の素材の例にはフッ素樹脂がある。もちろん、被覆材１２の素材である合成樹脂の種類は特に限定されない。ただし、本実施形態にかかる被覆材１２は、透明なものである。本実施形態にかかる被覆材１２は無色透明であることが望ましい。
【００１５】
建物自体に作物栽培を妨げる原因がない建物はいずれも第２の要件を満たす。もちろん、本実施形態における農業ハウスは、作物栽培に適した建物であることが望ましい。作物栽培に適した建物の例には、内部において地面が露出している建物、および、外部から内部への風の進入を防ぐ機能を持つ建物がある。
【００１６】
本実施形態にかかる構造体１０は、柱フレーム材３０と、桟フレーム材３２と、アーチ梁フレーム材３４と、長手フレーム材３６とを有する。
【００１７】
柱フレーム材３０と、桟フレーム材３２と、アーチ梁フレーム材３４とは、農業ハウスのフレーム材である。これらの具体的な形態は周知のものと同様である。したがって、ここではその詳細な説明は繰り返されない。
【００１８】
長手フレーム材３６は、本実施形態にかかる農業ハウスの屋根部分に配置される。長手フレーム材３６は、本実施形態にかかる農業ハウス用フレーム材である。長手フレーム材３６は、可視光および近赤外線を反射する。
【００１９】
本実施形態にかかる被覆材１２は、フッ素樹脂製である。被覆材１２は、柱フレーム材３０と、桟フレーム材３２と、アーチ梁フレーム材３４と、長手フレーム材３６とを覆う。
【００２０】
図２は、本実施形態にかかる長手フレーム材３６の断面図である、図２に基づいて、本実施形態にかかる長手フレーム材３６が説明される。本実施形態にかかる長手フレーム材３６は、本体部５０と、反射層５２と、透明層５４とを有している。
【００２１】
本体部５０は、荷重を支えるためのものである。本実施形態における本体部５０の具体的な構成は周知の鋼管と同様である。したがって、ここではその詳細な説明は繰り返されない。
【００２２】
反射層５２は、本体部５０の表面に設けられる。本実施形態にかかる反射層５２は、二酸化チタンを含む。反射層５２は、白色である。
【００２３】
透明層５４は、反射層５２の表面に設けられる。透明層５４は、透明である。本実施形態の場合、透明層５４は無色透明であってもよいし色つき透明であってもよい。
【００２４】
［組立手順の説明］
本実施形態にかかる農業ハウスは、周知の農業ハウスと同一の手順で組み立てられる。したがって、その詳細な説明は繰り返されない。
【００２５】
［使用方法の説明］
本実施形態にかかる農業ハウスは主として屋外に設置される。本実施形態にかかる農業ハウス内部で、例えば、作物が栽培される。
【００２６】
［効果の説明］
本実施形態にかかる農業ハウスは主として屋外に設置される。屋外に設置されるので、太陽光は本実施形態にかかる農業ハウスの被覆材１２を透過する。被覆材１２を透過した太陽光の一部は長手フレーム材３６の表面に照射される。長手フレーム材３６の反射層５２は、これに照射された太陽光を乱反射する。乱反射された太陽光は本実施形態にかかる農業ハウス内に照射される。これにより、農業ハウス内のある箇所には、太陽光のうちある長手フレーム材３６に遮られたものに代えて、他の長手フレーム材３６が乱反射した太陽光が照射されることとなる。これにより、太陽光が照射されないことに起因する作物の生育不良が回避される。
【００２７】
しかも、本実施形態にかかる農業ハウスの長手フレーム材３６は、太陽光を乱反射する分、その太陽光のエネルギを吸収しない。長手フレーム材３６が太陽光のエネルギを吸収しないので、その長手フレーム材３６の温度上昇は抑制される。長手フレーム材３６の温度上昇が抑制されるので、その温度上昇に伴う農業ハウス内部の温度上昇が抑制される。
【００２８】
また、本実施形態にかかる農業ハウスの長手フレーム材３６が被覆材１２に接触する場合、反射層５２は透明層５４を介してその被覆材１２に接触することとなる。反射層５２が透明層５４を介してその被覆材１２に接触するので、反射層５２が含む二酸化チタンによって被覆材１２の材料であるフッ素樹脂が劣化する可能性が低くなる。合成樹脂が劣化する可能性が低くなるので、被覆材１２の耐久性が向上する。
【００２９】
今回開示された実施形態はすべての点で例示である。本発明の範囲は上述した実施形態に基づいて制限されるものではない。もちろん、本発明の趣旨を逸脱しない範囲で種々の設計変更をしてもよい。
【００３０】
１０…構造体
１２…被覆材
３０…柱フレーム材
３２…桟フレーム材
３４…アーチ梁フレーム材
３６…長手フレーム材
５０…本体部
５２…反射層
５４…透明層
【図１】
2020078263.tif 000003
【図２】
2020078263.tif 000004